(57)【特許請求の範囲】
【請求項１】
データ領域に保持された画像情報をプリントするプリント手段に証明写真をプリントさせるために、撮影した人物画像情報を選択された証明写真のサイズに収める画像処理を行う処理手段を備えた証明写真の処理装置であって、
前記人物画像情報における顔部分の大きさを前記証明写真のサイズに対応した標準的な値に設定する標準モードと、この値と異なる値に設定する変更モードとに切換え自在な切換手段を備え、この切換手段はスイッチ手段の操作に基づいて標準モードと変更モードとに切換自在であり、かつ、標準モードでは前記データ領域の左右方向の中央位置と前記人物画像情報中の顔中央とが一致し、前記データ領域の上端位置から所定距離だけ離間する位置に前記人物画像情報中の頭頂が位置すると共に、前記人物画像情報中の顔の大きさが前記データ領域に対応する標準的なサイズとなる拡大率で前記人物画像情報を前記データ領域に転送し、変更モードでは前記データ領域の左右方向の中央位置と前記人物画像情報中の顔中央とが一致し、前記データ領域の上端位置から前記所定距離とは異なる距離だけ離間する位置に前記人物画像情報中の頭頂が位置すると共に、前記人物画像情報中の顔の大きさが前記データ領域に対応する標準的なサイズと異なるサイズとなる拡大率で前記人物画像情報を前記データ領域に転送する処理を行うように構成されている証明写真の処理装置。
【請求項２】
前記人物画像情報を表示し得るディスプレイを備えると共に、前記スイッチ手段がディスプレイに表示された画像で表され、この画像をポインティング手段で指定することで標準モードと変更モードとの切換を行えるよう処理形態が設定されている請求項１記載の証明写真の処理装置。
【請求項３】
前記ディスプレイに対して複数種の証明写真のサイズを表示し、かつ、このように表示された複数種のサイズの何れかをポインティング手段で指定することで証明写真のサイズの選択を行えるよう前記処理手段の処理形態が設定されている請求項２記載の証明写真の処理装置。
【請求項４】
記憶媒体に保存された人物画像情報を入力する入力手段を備えている請求項１〜３のいずれか１項に記載の証明写真の処理装置。
【発明の詳細な説明】
【０００１】
【発明の属する技術分野】
本発明は、画像情報をプリントするプリント手段に証明写真をプリントさせるために、選択された証明写真のサイズに人物画像情報を収める画像処理を行う処理手段を備えた証明写真の処理装置に関する。
【０００２】
【従来の技術】
上記のように構成された証明写真の処理装置として特開平９‐２７８９７号公報に示されるものが存在し、この従来例では、人物画像を撮影するビデオカメラと、このビデオカメラで撮影された画像を処理するマイクロコンピュータと、プリントアウト用の画像データを形成する中央演算処理装置と、この中央演算処理装置からのデータをプリントアウトするプリンターとを備えて構成され、証明写真の撮影時には所望するサイズを予め指定しておくことで、撮影の後には、人物画像が中央演算処理装置により指定されたサイズとなるよう拡大や縮小が行われプリンターでプリントアウトされるよう処理形態が設定されている。
【０００３】
【発明が解決しようとする課題】
従来例では、カメラと撮影される人物との距離が一定に設定されているので、指定された証明写真のサイズと、このサイズに対応する人物画像の拡大率が予め設定されている。しかし、撮影された人物の顔の大きさは撮影時の姿勢により多少変化するものであり、又、プリントされた人物の顔の形や髪の形の影響によって顔が大きく見えたり、逆に小さく見えることもありアンバランスに感ずることもある。このアンバランスは主観的なものであるが、証明写真の依頼主からすると満足な写りとは云えず、このような場合、例えば、ズーム機能を備えてオペレータが適当なサイズに拡大又は縮小する操作を行う必要があり手間がかかるものとなっていた。尚、従来例のように画像処理を行わなず、銀塩印画紙に対して投影露光により人物画像を焼き付ける旧来からの証明写真では、熟練した技術者が長年の経験に基づいて人物画像の大きさを調節することによりバランスの良い証明写真をプリントすることも可能であるが、手間が掛かるばかりでなく処理に要する時間も長く、このような処理を行うことは現実的でなかった。
【０００４】
本発明の目的は、合理的な改良によって顔の大きさのバランスがとれた証明写真を簡単に得る証明写真の処理装置を構成する点にある。
【０００５】
【課題を解決するための手段】
本発明の第１の特徴（請求項１）は、データ領域に保持された画像情報をプリントするプリント手段に証明写真をプリントさせるために、撮影した人物画像情報を選択された証明写真のサイズに収める画像処理を行う処理手段を備えた証明写真の処理装置において、前記人物画像情報における顔部分の大きさを前記証明写真のサイズに対応した標準的な値に設定する標準モードと、この値と異なる値に設定する変更モードとに切換え自在な切換手段を備え、この切換手段はスイッチ手段の操作に基づいて標準モードと変更モードとに切換自在であり、かつ、標準モードでは前記データ領域の左右方向の中央位置と前記人物画像情報中の顔中央とが一致し、前記データ領域の上端位置から所定距離だけ離間する位置に前記人物画像情報中の頭頂が位置すると共に、前記人物画像情報中の顔の大きさが前記データ領域に対応する標準的なサイズとなる拡大率で前記人物画像情報を前記データ領域に転送し、変更モードでは前記データ領域の左右方向の中央位置と前記人物画像情報中の顔中央とが一致し、前記データ領域の上端位置から前記所定距離とは異なる距離だけ離間する位置に前記人物画像情報中の頭頂が位置すると共に、前記人物画像情報中の顔の大きさが前記データ領域に対応する標準的なサイズと異なるサイズとなる拡大率で前記人物画像情報を前記データ領域に転送する処理を行うように構成されている点にあり、その作用、及び、効果は次の通りである。
【０００６】
本発明の第２の特徴（請求項２）は請求項１において、前記人物画像情報を表示し得るディスプレイを備えると共に、前記スイッチ手段がディスプレイに表示された画像で表され、この画像をポインティング手段で指定することで標準モードと変更モードとの切換を行えるよう処理形態が設定されている点にあり、その作用、及び、効果は次の通りである。
【０００７】
本発明の第３の特徴（請求項３）は請求項１において、前記ディスプレイに対して複数種の証明写真のサイズを表示し、かつ、このように表示された複数種のサイズの何れかをポインティング手段で指定することで証明写真のサイズの選択を行えるよう前記処理手段の処理形態が設定されている点にあり、その作用、及び、効果は次の通りである。
【０００８】
本発明の第４の特徴（請求項４）は請求項１〜３のいずれか１項において、記憶媒体に保存された人物画像情報を入力する入力手段を備えている点にあり、その作用、及び、効果は次の通りである。
【０００９】
〔作用〕
上記第１の特徴によると、スイッチ手段を操作して、変更モードを選択した場合には、証明写真のサイズに対応した大きさの人物画像情報と比較して異なる大きさの人物画像情報を証明写真のサイズに収めるものとなり、この人物画像情報の大きさを無理のない大きさに設定しておくことで、依頼主の求めに応じた顔の大きさの証明写真を得ることが可能となる。具体的には、従来からの証明写真の依頼主は証明写真に顔が大きく現れる状態を嫌う傾向が高いことから、例えば、変更モードでの人物画像の大きさを、標準モードと比較して少し小さくなるよう比率を設定しておくことで、必要に応じてスイッチ手段を操作するだけでバランスの良い証明写真を得るものとなる。
【００１０】
上記第２の特徴によると、ディスプレイに表示することで人物画像情報を確認できると共に、ディスプレイ表示されたスイッチ手段を操作すると云う単純な形態の操作で変更モードを選択できるものとなり、又、スイッチ手段がディスプレイに画像として表示されるので、機械的に作動するスイッチを特別に備えずに済みコストも低減できるものとなる。
【００１１】
上記第３の特徴によると、証明写真のサイズを選択する際にはディスプレイに表示されたサイズを指定することで済み、選択操作が簡単となる。
【００１２】
上記第４の特徴によると、高性能化、低廉化が進んでいる、所謂、デジタルカメラで撮影された人物画像を記憶媒体に保存しておき、入力手段から入力することで、銀塩フィルムを用いたカメラで人物画像を撮影するものと比較してフィルムを現像処理する時間が不要となり、短時間のうちに証明写真を得ることも可能となる。
【００１３】
〔発明の効果〕
従って、顔の大きさのバランスがとれた証明写真を単純な操作でプリントし得る証明写真の処理装置が構成されたのである。又、ディスプレイの表示に基づいた簡単な操作で済むものとなり、ディスプレイの表示に基づき必要とする証明写真のサイズを容易に選択し得るものとなり、デジタルカメラ等を用いて簡便に証明写真をプリントできるものとなったのである。
【００１４】
【発明の実施の形態】
以下、本発明の実施の形態を図面に基づいて説明する。
図１には証明写真の処理装置を示し、このシステムではタッチパネル式のディスプレイＤを一体的に備えた汎用コンピュータＭ（処理手段・切換手段の一例）と、この汎用コンピュータＭからの画像情報をプリントする昇華型のプリント装置Ｐ（プリント手段の一例）とを備えて構成されている。汎用コンピュータＭにはデジタルカメラＣ（デジタルスチルカメラ）で撮影した人物画像情報が保存された記憶媒体Ｒ（コンパクトフラッシュやＰＣカードやスマートメディア等）の情報を読出す入力手段としての読出し装置１（メディアリーダ）と、ＣＤ−ＲやＣＤ−ＲＯＭからの情報を読取るＣＤ−ＲＯＭドライブ２と、フロッピーディスクＦＤの情報を読取るＦＤドライブ３とを備えている。プリント装置Ｐは昇華型のプリントヘッド（図示せず）を本体４に内蔵すると共に、ペーパカセット５にセットされたプリントペーパにプリントヘッドでプリントを行い排出部６に送り出すよう構成されている。又、ディスプレイＤはディスプレイ本体７と、ポインティング手段としてのタッチパネル８とで構成されている。
【００１５】
この処理装置では前記ディスプレイＤの表示面に初期メニューがアイコンの形態で表示されるものとなっており、この初期メニューの１つを選択する際にはオペレータが指先をディスプレイＤに表示されたアイコン等に接触させるだけで、タッチパネル８を介して、所謂、ＧＵＩ（Graphical User Interface) 式に処理形態を選択できるものとなっている。又、初期メニューには「証明写真」と「デジタルカメラ受付」と「リオーダー」と「デジタルカメラプリント」との処理を示す４つのアイコンが表示され（図示せず）、「証明写真」を選択した場合には後述するようにデジタルカメラＣで撮影された人物画像情報を選択したサイズの証明写真にプリントする処理を行い、「デジタルカメラ受付」を選択した場合にはデジタルカメラＣで撮影された画像情報を後記するハードディスクに保存する処理を行い、「リオーダー」を選択した場合には焼き増しプリントの処理を行うものとなり、「デジタルカメラプリント」を選択した場合には前記「デジタルカメラ受付」の処理によって受付済み（ハードディスクに保存された）の画像情報をオーダー単位にまとめてプリントする処理を行うものとなっている。
【００１６】
図２に示すように、汎用コンピュータＭのブロック回路図が示され、この回路図では内蔵されたマイクロプロセッサ（ＣＰＵ）に対して前記読出し装置１、ＣＤ−ＲＯＭドライブ２、ＦＤドライブ３、内蔵されたハードディスク１０に対するデータの入出力系が形成されると共に、このＣＰＵに対してＲＯＭ１１、ＲＡＭ型のメインメモリ１２、ＲＡＭ型のフレームメモリ１３、画像処理部１４夫々に対するデータのアクセス系が形成され、又、ビデオメモリ１５とビデオコントローラ１６を介してディスプレイ本体７に対する出力系が形成され、タッチパネル８からの信号をポインティング制御部１７を介し位置情報に変換してＣＰＵに入力する系、プリント制御部１８を介してプリント装置Ｐに信号を出力する系が形成されている。
【００１７】
本発明のシステムでは証明写真のプリントを行う場合の処理形態に特徴を有するものであり、その特徴とはＤＰ店等で依頼主の肖像をデジタルカメラＣで撮影し、このように撮影した人物画像情報から証明写真のプリントを行う場合には人物画像の顔を標準の大きさと、標準より少し小さい大きさとに人為的に切換え得る点であり、その特徴に対応する操作手順と制御形態を図面に基づいて以下に説明する。
【００１８】
つまり、人物（肖像）を撮影した記憶媒体Ｒを読出し装置１にセットした状態で、前記初期メニューから「証明写真」を選択した場合には、図１０のフローチャートに示す証明写真処理制御が実行される。この制御では、画像選択処理（  ＃１００ステップ）、顔位置取得処理（＃２００ステップ）、サイズ設定手段、拡大率設定手段としての出力種類設定処理（＃３００ステップ）、プリント処理（＃４００ステップ）の順序で処理が行われる。尚、記憶媒体Ｒがセットされない状態で「証明写真」が選択された場合には「メモリカード」をセットして下さい等のメッセージがディスプレイＤに表示される。
【００１９】
前記選択処理（＃１００ステップ）では、ディスプレイＤに対して図３に示す選択画面の表示を行うと共に、記憶媒体Ｒに記憶されたコマ画像を読出して選択画面の３つのフレームウインドウＦＷに対して夫々のコマ画像（人物画像情報）を表示するものとなっている。又、同一人物を３コマ以上撮影している場合には、画面に表示された「矢印スイッチ」２１に指を接触させる操作に従って、フレームウインドウＦＷに表示されていないコマ画像を順次表示できるものとなっている。そして、フレームウインドウＦＷに表示されたコマ画像のうち、証明写真に最適なものを視覚的に選択し、その画像に指を接触させる操作で選択が行われた場合には、画像の周囲に選択されたことを示す枠状の表示が現れるものとなっており、この状態で「セットスイッチ」２２に指を接触させる操作が行われると選択が完了する。尚、この処理ではディスプレイＤに表示された「戻るスイッチ」２３に指を接触させる操作が行われた場合には初期画面に戻る処理を行うものとなっており、以下の説明では画面に表示されたスイッチ類に指を接触させる操作を単に「操作」と記しており、又、「戻るスイッチ」２３に指を接触させた場合には、直前の制御に戻る処理が行われるものとして説明している。
【００２０】
前述のように画像選択処理が終了すると、前記顔位置取得処理（＃２００ステップ）に移行するものとなっており、この顔位置取得処理では、図１１のフローチャートに従い、ディスプレイＤに対して図４に示す処理画面の表示を行うと共に、この処理画面のトリミングウインドウＴＷに対して選択された画像情報と、上部カーソルＣＸとを表示し、この上部カーソルＣＸを「矢印スイッチ」２１の操作で上下に移動操作して人物画像の頭頂に位置させた状態で「セットスイッチ」２２を操作することで頭頂の位置を示すデータＸが保存される。次に、図５に示す如く、次に表示された下部カーソルＣＹを前記上部カーソルＣＸと同様に  「矢印スイッチ」２１の操作で上下に移動操作して人物画像の顎の下端に位置させた状態で「セットスイッチ」２２を操作することで顎の下端の位置を示すデータＹが保存され、更に、図６に示す如く、次に表示されたセンターカーソルＣＺを「矢印スイッチ」２１の操作で左右に移動させ、顔の中央位置に位置させた状態で「セットスイッチ」２２を操作することで顔の左右方向での中央位置を示すデータＺが保存される（＃２０１、＃２０２ステップ）。尚、この処理によってデータＸとデータＹとの上下方向での距離が顔サイズＬとして求められる。
【００２１】
次の処理では、図７に示す処理画面の表示を行い、画面中に表示された「標準スイッチ」Ｎ、あるいは、「小さくスイッチ」Ｓ（夫々のスイッチＮ、Ｓがスイッチ手段の一例）の何れが操作された後に「セットスイッチ」２２が操作された場合には、操作されたスイッチを特定する情報に基づいて顔サイズを設定する情報がセットされる（＃２０３、＃２０４ステップ）。又、顔サイズを設定する情報はフラグのように「１」あるいは「０」となる形式のデータでも、倍率を示す数値のデータでも良く、この処理を終了すると出力種類設定処理（＃３００ステップ）の処理に移行するものとなっている。
【００２２】
出力種類設定ルーチン（＃３００ステップ）では、ディスプレイＤに対して図８に示す出力種類設定画面の表示を行ってサイズの選択を行うものとなっている。具体的には画面に表示された「運転免許証」「履歴書」「パスポート」「ビザ」「一般試験」「その他」の６つの「サイズ選択スイッチ」２５に指を接触させてサイズの選択が行われると、選択されたサイズをセットする処理が行われ、任意のサイズをセットするため画面に表示された「サイズ入力スイッチ」２６を操作た場合には入力画面を表示し（図示せず）、この入力画面に基づいて入力された値をサイズにセットし、色補正を行うため画面に表示された「色補正スイッチ」２７を操作した場合には色補正画面（図示せず）を表示し、この表示に従って色の補正値や、明るさの補正値をセットし、モノクロームのプリントを行うために「白黒スイッチ」２８を操作した場合には画像情報をモノクロームデータに変換し、画像情報をフロッピーディスクＦＤに保存するために「ＦＤスイッチ」２９を操作した場合には画像情報をフロッピーディスクＦＤに保存する処理を行い、焼き増し処理を行うために「リピート券スイッチ」３０を操作した場合には、画像情報を特定するために撮影日とオーダ番号とを証明写真と同じペーパにプリントする（図示せず）モードをセットするものとなっている。このようにサイズの選択が終了すると、同図に示す如く画面に表示された「プリントスイッチ」３１を操作することでプリント処理に移行する。
【００２３】
プリント処理では、図１２のフローチャートに示すように、選択されたサイズに対応するデータ領域（Ａ）をメインメモリ１２等に設定すると共に、設定された顔のサイズ（Ｌの値）を判別し、顔のサイズを設定する情報に基づいて、顔を小さくプリントする場合には拡大率を「小」に設定し、顔を標準の大きさでプリントする場合には拡大率を「標準」に設定する。更に、前記データ領域（Ａ）に対して、設定された拡大率で画像データを展開する処理を行い、この処理の後にプリント装置Ｐに対してデータを転送してプリントを行い、又、ディスプレイＤに対して図９の処理画面の表示を行うものとなっている（＃４０１〜＃４０６ステップ）。尚、処理手段としての汎用コンピュータＭにセットされたプログラムで切換手段が構成され、この切換手段はスイッチ手段としての「標準スイッチ」Ｎ、あるいは、「小さくスイッチ」Ｓの操作に基づいて＃４０２〜＃４０５ステップの処理を行うものとなっている。
【００２４】
具体的に説明すると、この処理で画像データを展開する場合には、＃４０５ステップ中に示すように、顔のサイズを設定する情報が「標準」に設定されている場合には（標準モード）、実線で矩形で示す、実プリントの対象となる画像データを保存するデータ領域（Ａ）の左右方向での中央位置に、破線で矩形で示す画像データ（Ｆ）における顔中央を示すデータＺの位置をセットすると共に、このデータ領域（Ａ）の上端位置から設定距離だけ離間した位置に頭頂を示すデータＸの位置をセットし、更に、顔サイズを示すデータＬがデータ領域（Ａ）に対応した標準的なサイズとなるよう、画像データ（Ｆ）の拡大率をセットして、この画像データ（Ｆ）をデータ領域（Ａ）に転送するものとなり、この転送の際には画像データ（Ｆ）の周囲のデータ（実線の矩形部分より外方側）は切り捨てられる。又、顔のサイズを設定する情報が「小さく」に設定されている場合には（変更モード）、実線で矩形で示すデータ領域（Ａ）の左右方向での中央位置に、破線で矩形で示す画像データ（Ｆ）における顔中央を示すデータＺの位置をセットすると共に、このデータ領域（Ａ）の上端位置から設定距離だけ（前記標準における距離より長く設定される）離間した位置に頭頂を示すデータＸの位置をセットし、更に、顔サイズを示すデータＬがデータ領域（Ａ）に対応して、前記「標準」より小さいサイズとなるよう、画像データ（Ｆ）の拡大率をセットして、この画像データ（Ｆ）をデータ領域（Ａ）に転送するものとなり、この転送の際には画像データ（Ｆ）の周囲のデータ（実線の矩形部分より外方側）は切り捨てられる。尚、このように「小さく」に設定されている場合に切り捨てられる領域は、「標準」に設定されている場合と比較して小さくなる。そして、プリントが終了した場合には、図９の処理画面の「終了スイッチ」３２を操作することで、初期画面に戻るものとなっている。
【００２５】
このように本発明では、ＤＰ店等において証明写真のオーダを受けた場合には、その場で依頼主の肖像をデジタルカメラＣで複数のコマに撮影し、その人物画像情報を保存した記憶媒体Ｒを汎用コンピュータＭの読取り装置１にセットし、ディスプレイＤの表示に従って「証明写真」を選択する操作をオペレータが行うだけで、必要とするサイズの証明写真の処理が可能であり、この処理の際に顔のサイズを標準に設定した状態でのプリントと、小さく設定した状態でのプリントの選択を画面に表示されたスイッチの操作だけで容易に切り換えることが可能となり、証明写真の依頼主の求めに対応したバランスの良いものに仕上げ得るものとなっている。
【００２６】
〔別実施の形態〕
本発明は上記実施の形態以外に、例えば、顔のサイズを切換えるための処理として図１３に示すようにディスプレイＤに対して、プレビューウインドウＰＷと、「標準スイッチ」Ｎと「小さくスイッチ」Ｓと表示し、何れかのスイッチが操作された場合には、そのスイッチ操作によって設定された顔の大きさの証明写真をプリントされた状態でプレビューウインドウＰＷに表示するよう処理形態を設定することも可能であり、このように構成することにより、プリントを行う以前にプレビューウインドウＰＷを介して顔の大きさを視覚によって確認できるものとなる。
【００２７】
又、本発明では顔を小さくプリントするモード以外に、顔を大きくプリントするモードに切換られるよう処理形態を設定することが可能であり、更に、証明写真にプリントされる顔の大きさを予め微調節しておくための調節手段を備えることも可能である。又、拡大率を異ならせてプリントを行わせる複数のスイッチ手段を形成することにより、「小さい顔」や「やや小さい顔」等のように顔を小さくプリントする場合でも、顔の大きさを複数種の拡大率の中から選択できるよう実施することも可能である。
【図面の簡単な説明】
【図１】写真処理装置の構成を示す斜視図
【図２】写真処理装置の構成を示すブロック回路図
【図３】画像選択処理における表示画面を示す図
【図４】顔位置取得処理における表示画面を示す図
【図５】顔位置取得処理における表示画面を示す図
【図６】顔位置取得処理における表示画面を示す図
【図７】スイッチ手段が表示された画面を示す図
【図８】出力種類設定処理における表示画面を示す図
【図９】プリント処理の終了時における表示画面を示す図
【図１０】証明写真処理制御のフローチャート
【図１１】顔位置取得処理ルーチンのフローチャート
【図１２】プリント処理ルーチンのフローチャート
【図１３】別実施の形態のプレビューウインドウが表示された画面を示す図
【符号の説明】
１              入力手段
８              ポインティング手段
Ｄ              ディスプレイ
Ｎ、Ｓ          スイッチ手段
Ｐ              プリント手段
Ｒ              記憶媒体
【図１】
0004288545.tif 000002
【図２】
0004288545.tif 000003
【図３】
0004288545.tif 000004
【図４】
0004288545.tif 000005
【図５】
0004288545.tif 000006
【図６】
0004288545.tif 000007
【図７】
0004288545.tif 000008
【図８】
0004288545.tif 000009
【図９】
0004288545.tif 000010
【図１０】
0004288545.tif 000011
【図１１】
0004288545.tif 000012
【図１２】
0004288545.tif 000013
【図１３】
0004288545.tif 000014